(57)【要約】【課題】特定の映像機器からの映像や音声のみを伝送できるようにし、他の映像機器へのユーザの操作を無効にする。【解決手段】無線通信システムが、複数の送信装置と、複数の送信装置と通信する受信装置とを有し、複数の送信装置の各々が、受信装置とのデータ通信を占有することを示す占有情報を含む信号を受信装置に送信する第１の送信手段を有する。【選択図】図１
2015050556.tif 000002
【特許請求の範囲】
【請求項１】
複数の送信装置と、該複数の送信装置とデータ通信を行う受信装置とを有する無線通信システムであって、
前記複数の送信装置の各々は、
前記受信装置とのデータ通信を占有することを示す占有情報を含む信号を前記受信装置に送信する第１の送信手段を有する無線通信システム。
【請求項２】
前記受信装置は、
前記複数の送信装置の中の１つの送信装置から前記占有情報を含む信号を受信した時、他の送信装置に対して当該受信装置とのデータ通信が占有されていることを示す占有情報を含む信号を送信する第２の送信手段を有することを特徴とする請求項１に記載の無線通信システム。
【請求項３】
前記複数の送信装置は、
ユーザ入力を受け付ける入力手段を有し、
前記第１の送信手段は、前記入力手段によるユーザ入力を受け付けると、前記受信装置とのデータ通信を占有することを示す占有情報を含む信号を前記受信装置に送信することを特徴とする請求項１または請求項２に記載の無線通信システム。
【請求項４】
前記第１の送信手段は、前記受信装置とのデータ通信を占有している場合に、前記ユーザ入力を検知すると、前記占有している状態を解除することを特徴とする請求項３に記載の無線通信システム。
【請求項５】
前記第１の送信手段は、前記受信装置とのデータ通信を占有している場合に、前記無線通信が切断されると、前記占有している状態を解除することを特徴とする請求項１から請求項４のいずれか１項に記載の無線通信システム。
【請求項６】
前記第１の送信手段は、前記受信装置とのデータ通信を占有している場合に、前記占有している状態が所定の時間経過すると、前記占有している状態を解除することを特徴とする請求項１から請求項５のいずれか１項に記載の無線通信システム。
【請求項７】
複数の送信装置と、該複数の送信装置とデータ通信を行う受信装置とを有する通信システムにおける送信装置であって、
各送信装置は、前記受信装置とのデータ通信を占有することを示す占有情報を含む信号を前記受信装置に送信する第１の送信手段を有する送信装置。
【請求項８】
ユーザ入力を受け付ける入力手段を有し、
前記第１の送信手段は、前記入力手段によるユーザ入力を受け付けると、前記受信装置とのデータ通信を占有することを示す占有情報を含む信号を前記受信装置に送信することを特徴とする請求項７に記載の送信装置。
【請求項９】
前記第１の送信手段は、前記受信装置とのデータ通信を占有している場合に、前記ユーザ入力を検知すると、前記占有している状態を解除することを特徴とする請求項８に記載の送信装置。
【請求項１０】
前記第１の送信手段は、前記受信装置とのデータ通信を占有している場合に、前記通信が切断されると、前記占有している状態を解除することを特徴とする請求項７から請求項９のいずれか１項に記載の送信装置。
【請求項１１】
前記第１の送信手段は、前記受信装置とのデータ通信を占有している場合に、前記占有している状態が所定の時間経過すると、前記占有している状態を解除することを特徴とする請求項７から請求項１０のいずれか１項に記載の送信装置。
【請求項１２】
複数の送信装置と、該複数の送信装置とデータ通信を行う受信装置とを有する無線通信システムにおける通信方法であって、
前記複数の送信装置の各々が、前記受信装置とのデータ通信を占有することを示す占有情報を含む信号を前記受信装置に送信するステップを有する無線通信方法。
【請求項１３】
前記受信装置が、前記複数の送信装置の中の１つの送信装置から前記占有情報を含む信号を受信した時、他の送信装置に対して当該受信装置とのデータ通信が占有されていることを示す占有情報を含む信号を送信するステップを有することを特徴とする請求項１２に記載の無線通信方法。
【発明の詳細な説明】
【技術分野】
【０００１】
本発明は、送信装置、無線通信システムおよび無線通信方法に関する。
【背景技術】
【０００２】
ＰＣ（Personal Computer）などの映像機器から、画面出力ビデオインタフェース信号をプロジェクタやモニターなどの表示装置に伝送して投影する無線ネットワークプロジェクタシステムが知られている。このときの信号の伝送は、ケーブル等を使用せずに、無線ＬＡＮやミリ波通信による無線ネットワークを用いている。また、複数台の映像機器からの映像音声信号を選択して表示装置に伝送して投影するシステムも知られている。
【０００３】
例えば、複数の無線通信装置間で映像及び音声データを無線伝送する場合に、無線を用いて映像及び音声データのワンタッチ再生を可能にするという目的で、データを伝送する前の入力切替処理および接続処理やリソース予約処理を行う方法が知られている（例えば、特許文献１参照）。
【０００４】
また、表示装置と、表示装置に接続される複数の映像機器と、映像機器を制御するためのリモコンとで構成されるＡＶシステムを使用して、リモコンのボタン押し下げにより表示装置に表示される映像の送信元である映像機器を切り替える方法が知られている（例えば、特許文献２参照）。
【発明の概要】
【発明が解決しようとする課題】
【０００５】
特許文献１に記載されているような装置では、ユーザが無線通信を行う装置の操作ボタンやリモートコントローラ上のボタンを押すと接続が開始される。また、特許文献１に記載されているような装置では、無線伝送および投影を行うために、映像データや音声データを送出する複数の装置からいずれか１つを選択することができる。
【０００６】
しかし、その選択が優先度により決定されてしまい、その手段および方法は複雑でわかりにくいためユーザの使い勝手がよくない。また、他の選択による切り替えを無効にすることができない。
【０００７】
また、特許文献２に記載されているような装置では、１つの入力装置の操作によって表示を切り替えることができている。しかし、システムに、入力装置から信号を送信するための発光部やその信号を受信するための受光部を別途設ける必要がある。また、新たな切り替えを無効にすることはできない。
【０００８】
そこで、本発明は、複数の映像音声出力装置の１つに対する所定のユーザの操作によって、その１つの映像音声出力装置のみが表示装置に映像データおよび音声データを出力することができ、その１つの映像音声出力装置が表示装置に映像データおよび音声データを出力している間、他の映像音声出力装置に対するユーザの操作が無効になる、送信装置、無線通信システムおよび無線通信方法を提供することを目的とする。
【課題を解決するための手段】
【０００９】
そこで、本発明に係る無線通信システムは、複数の送信装置と、該複数の送信装置とデータ通信を行う受信装置とを有する無線通信システムであって、前記複数の送信装置の各々は、前記受信装置とのデータ通信を占有することを示す占有情報を含む信号を前記受信装置に送信する第１の送信手段を有することを特徴とする。
【００１０】
また、本発明に係る送信装置は、複数の送信装置と、該複数の送信装置とデータ通信を行う受信装置とを有する通信システムにおける送信装置であって、各送信装置は、前記受信装置とのデータ通信を占有することを示す占有情報を含む信号を前記受信装置に送信する第１の送信手段を有することを特徴とする。
【００１１】
また、本発明に係る無線通信方法は、複数の送信装置と、該複数の送信装置とデータ通信を行う受信装置とを有する無線通信システムにおける通信方法であって、前記複数の送信装置の各々が、前記受信装置とのデータ通信を占有することを示す占有情報を含む信号を前記受信装置に送信するステップを有することを特徴とする。
【発明の効果】
【００１２】
本発明によれば、複数の映像音声出力装置の１つに対する所定のユーザの操作によって、その１つの映像音声出力装置のみが表示装置に映像データおよび音声データを出力することができ、その１つの映像音声出力装置が表示装置に映像データおよび音声データを出力している間、他の映像音声出力装置に対するユーザの操作が無効になる送信装置、無線通信システムおよび無線通信方法を提供することを目的とする。
【図面の簡単な説明】
【００１３】
【図１】本発明の第１の実施の形態に係る通信システムのブロック図である。
【図２】図１に示す通信システムの映像音声入力処理部及び映像音声出力処理部の一例を示す図である。
【図３】送信フレームの一例を示す図である。
【図４】本発明の第１の実施の形態に係る通信システムにおける送受信処理の第１の例を示す図である。
【図５】本発明の第１の実施の形態に係る通信システムにおける送受信処理の第２の例を示す図である。
【図６】本発明の第１の実施の形態に係る通信システムの動作の一例に係るシーケンス図である。
【図７】本発明の第１の実施の形態に係る通信システムのロック状態に関する動作の一例に係るシーケンス図である。
【図８】本発明の第１の実施の形態に係る通信システムのロック解除状態に関する動作の一例に係るシーケンス図である。
【図９】図６から図８に示す本発明の第１の実施の形態に係る通信システムの各動作において送信されるメッセージの一例を示す図である。
【図１０】本発明の第１の実施の形態に係る通信システムの受信装置の動作の一例に係るシーケンス図である。
【図１１】本発明の第１の実施の形態に係る通信システムの送信装置の動作の一例に係るシーケンス図である。
【図１２】本発明の第１の実施の形態に係る通信システムの送信装置のロック状態またはロック解除状態に関する動作の一例に係るシーケンス図である。
【図１３】本発明の第２の実施の形態に係る通信システムのブロック図である。
【図１４】本発明の第３の実施の形態に係る通信システムのブロック図である。
【図１５】本発明の第３の実施の形態に係る通信システムの送信装置における表示部に関する動作の一例に係るフローチャートである。
【図１６】本発明の第３の実施の形態に係る通信システムの送信装置における表示部に関する動作の他の例に係るフローチャートである。
【図１７】本発明の第４の実施の形態に係る通信システムのブロック図である。
【図１８】本発明の第４の実施の形態に係る通信システムの動作の一例に係るシーケンス図である。
【発明を実施するための形態】
【００１４】
以下、図面を参照しながら、本発明の一実施の形態に係る無線通信システムについて説明する。
【００１５】
［第１の実施の形態の通信システム］
＜無線通信システムの概要＞
図１は、本発明の第１の実施の形態に係る無線通信システム１のブロック図を示す。無線通信システム１は、第１の無線通信装置１００と、第２の無線通信装置２００−１と、第３の無線通信装置２００−２とを備える。
【００１６】
第１の無線通信装置１００は、受信装置として機能し、シンク機と称することがある。第２の無線通信装置２００−１および第３の無線通信装置２００−２は、送信装置として機能し、それぞれ、第１のソース機および第２のソース機またはソース機１およびソース機２と称することがある。
【００１７】
第２の無線通信装置２００−１または第３の無線通信装置２００−２は、映像音声入力処理部２０２を介して、外部のＰＣ（Personal Computer）やメディアプレーヤ等のビデオ・音声出力端子に接続される。
【００１８】
第２の無線通信装置２００−１または第３の無線通信装置２００−２は、外部のＰＣ（Personal Computer）やメディアプレーヤ等から映像データと音声データを受信すると、受信した映像音声データをアンテナ２１０から出力する。以下、映像データと音声データとの少なくとも一方のデータを含むものを「映像音声データ」という。
【００１９】
第１の無線通信装置１００は、アンテナ１１０を介して第２の無線通信装置２００−１または第３の無線通信装置２００−２から映像音声データを受信する。受信した映像音声データは、映像音声出力処理部１０２を経由して外部のＴＶやプロジェクタなどの表示装置の映像・音声入力端子に出力される。表示装置はその出力された映像音声データを再生する。
【００２０】
本実施の形態では、２台の無線通信装置２００−１，２００−２を備えているが、３台以上であってもよい。
【００２１】
＜無線通信装置２００−１，２００−２＞
第２の無線通信装置２００−１と第３の無線通信装置２００−２とは同一の構成を有しているので、以下、第２の無線通信装置２００−１について説明し、第３の無線通信装置２００−２については、同一の部材に同一の符号を付して、説明は省略する。
【００２２】
第２の無線通信装置２００−１は、制御部２０１と、これに接続されている映像音声入力処理部２０２、ユーザ入力装置２０３、装置情報記憶部２０４、無線通信情報記憶部２０５および無線通信処理部２０６とを備える。
【００２３】
映像音声入力処理部２０２は、外部のＰＣやメディアプレーヤ等のビデオ・音声出力端子に接続され、それらから映像音声データを受信する。映像音声入力処理部２０２として、後述する通り、ＨＤＭＩ（登録商標）（High-Definition Multimedia Interface）の規格に準拠した通信インタフェースを用いることができる。その他に、映像音声入力処理部２０２として、ＤＶＩ（Digital Visual Interface）、ＤＩＳＰＬＡＹ  ＰＯＲＴ等の規格に準拠したインタフェースを用いてもよい。
【００２４】
映像音声入力処理部２０２に入力された映像音声データは、制御部２０１の制御の下で、無線通信処理部２０６に入力される。
【００２５】
また、ユーザ入力装置２０３は、押し下げ式のボタンスイッチで構成されていて、ユーザがボタンを押し下げると、ユーザ入力を表す信号が出力されて制御部２０１に入力される。これにより、制御部２０１はユーザ入力を検知することになる。ユーザがボタンを押している時間の長さとボタンを押し下げた回数との組合せによって、出力信号の種別を異ならせることができる。
【００２６】
後述するように、例えば、ボタンスイッチを押し下げている時間が１秒以下の入力や１秒間に２回ボタンスイッチを押し下げることによる入力をユーザ入力Ａとして、映像音声データの送出開始要求を行うための入力信号とすることができる。
【００２７】
また、例えば、ボタンスイッチを押し下げている時間が１秒を越えるが２秒以下の入力や１秒間に４回ボタンスイッチを押し下げることによる入力をユーザ入力Ｂとして、ソース機のロック済通知を行うため入力信号とすることができる。
【００２８】
この場合、ユーザ入力Ｂは、受信装置との映像音声データのデータ通信を占有することを示す占有情報を含む信号として機能する。なお、映像音声データのデータ通信には、同期用データや制御用データの通信は含まれない。このため、ユーザ入力Ｂによっては、同期用データや制御用データの通信は制限されない。
【００２９】
装置情報記憶部２０４は、無線通信装置固有のＩＤを記憶している。無線通信装置固有のＩＤは、第１の無線通信装置１００、第２の無線通信装置２００−１および第３の無線通信装置２００−２のＭＡＣアドレスが望ましい。ただし、それに代えて、他の識別子であってもよい。
【００３０】
無線通信情報記憶部２０５は、無線通信で使用する周波数帯域や、映像音声データを送る帯域の予約情報、ストリームＩＤ、映像音声処理に必要なパラメータ等を記憶している。
【００３１】
制御部２０１は、映像音声入力処理部２０２、ユーザ入力装置２０３、装置情報記憶部２０４、無線通信情報記憶部２０５および無線通信処理部２０６を制御するもので、ＣＰＵ（Central Processing Unit）およびメモリで構成される。制御部２０１は、メモリに記憶されたアプリケーション（ファームウェア、プログラム）に従って所定の機能を実行する。
【００３２】
プログラムは、フレキシブルディスク、ＣＤ−ＲＯＭ、メモリカード等の記録媒体に記録された状態で提供される。この記録媒体をコンピュータの補助記憶装置に挿入すると、媒体に記録されたプログラムが読み取られる。ＣＰＵは、読み込んだプログラムをＲＡＭあるいは外部記憶装置に書き込み、このプログラムにしたがって制御部２０１が機能する。ただし、プログラムは、記録媒体からではなくオンラインによって入手してもよい。
【００３３】
制御部２０１は、ユーザ入力装置２０３から信号が入力されると、その入力信号の種別の判別を行う。その判別は、例えば、ユーザがボタンを押している時間の長さやボタンを押し下げた回数に基づくことができる。例えば、１回の押し下げの持続時間が既定の時間を越えたか否か、１回の押し下げの持続時間が既定の時間を越えない場合には、既定の時間内に所定の回数の押し下げが行われたか否か等を基準として行う。また、制御部２０１は、第１の送信手段として機能する。
【００３４】
無線通信処理部２０６は、制御部２０１を経由して、映像音声入力処理部２０２から映像音声データを受信する。無線通信処理部２０６は、映像音声データを受信すると、その映像音声データをアンテナ２１０から無線送信する。その送信された映像音声データは、第１の無線通信装置１００のアンテナ１１０から無線通信処理部１０６に伝送される。
【００３５】
＜第１の無線通信装置１００＞
第１の無線通信装置１００は、無線通信処理部１０６と、装置情報記憶部１０４と、無線通信情報記憶部１０５と、制御部１０１と、映像音声出力処理部１０２とを備える。第１の無線通信装置１００は、映像音声データをＴＶやプロジェクタなどの表示装置に出力する出力装置として機能する。
【００３６】
無線通信処理部１０６は、第２の無線通信装置２００−１または第３の無線通信装置２００−２から同期用データ、制御データ、映像音声データを受信する。無線通信処理部２０６と無線通信処理部１０６との間の無線通信の手段または規格として、８０２．１１無線ＬＡＮ、ＷｉＭｅｄｉａ（IEEE [The Institute of Electrical and Electronics Engineers, Inc.] 802.15.3a, ECMA-368）、ミリ波による無線ＰＡＮ（802.15.3c）などが適用される。無線通信処理部１０６は、無線通信処理部２０６から同期用データ、制御データ、映像音声データを受信すると、それらを制御部１０１に送信する。
【００３７】
装置情報記憶部１０４は、無線通信装置固有のＩＤを記憶している。無線通信装置固有のＩＤは、第１の無線通信装置１００、第２の無線通信装置２００−１および第３の無線通信装置２００−２のＭＡＣアドレスが望ましい。ただし、それに代えて、他の識別子であってもよい。
【００３８】
無線通信情報記憶部１０５は、無線通信で使用する周波数帯域や、映像音声データを送る帯域の予約情報、ストリームＩＤ、映像音声処理に必要なパラメータ等を記憶している。
【００３９】
制御部１０１は、装置情報記憶部１０４、無線通信情報記憶部１０５、無線通信処理部１０６および映像音声出力処理部１０２を制御するもので、ＣＰＵ（Central Processing Unit）およびメモリで構成される。制御部１０１は、メモリに記憶されたアプリケーション（ファームウェア、プログラム）に従って所定の機能を実行する。
【００４０】
プログラムは、記録媒体に記録されたものでもオンラインによって入手したものでもよい。
【００４１】
制御部１０１は、第２の無線通信装置２００−１または第３の無線通信装置２００−２からの同期用データによりそれらと同期処理を行う。
【００４２】
また、制御部１０１は、第２の無線通信装置２００−１または第３の無線通信装置２００−２からの制御データに基づいて、第２の無線通信装置２００−１または第３の無線通信装置２００−２との間での通信制御を実行する。
【００４３】
例えば、制御部１０１は、第２の無線通信装置２００−１から送出開始要求があると、それに対し応答を送信する制御を実行する。また、制御部１０１は、第２の無線通信装置２００−１から停止済通知が入力されると、それに対し応答を送信する制御を実行する。また、制御部１０１は、第２の送信手段として機能する。
【００４４】
また、制御部１０１は、無線通信処理部１０６から映像音声データを受信して映像音声出力処理部１０２に出力する。
【００４５】
映像音声出力処理部１０２は、図示せぬ表示装置の映像・音声入力端子に接続されていて、映像音声データをそれに出力する。映像音声出力処理部１０２として、後述する通り、ＨＤＭＩ（登録商標）（High-Definition Multimedia Interface）の規格に準拠した通信インタフェースを用いる。その他に、映像音声出力処理部１０２として、ＤＶＩ（Digital Visual Interface）、ＤＩＳＰＬＡＹ  ＰＯＲＴ等の規格に準拠したインタフェースを用いてもよい。
【００４６】
図２は、映像音声出力処理部１０２と映像音声入力処理部２０２との各々の構成の一例を示す。図２に示すように、映像音声出力処理部１０２と映像音声入力処理部２０２との各々は、ＨＤＭＩ（登録商標）（High-Definition Multimedia Interface）の規格に準拠した通信インタフェースであり、ＨＤＭＩ（登録商標）送信機２１とＨＤＭＩ（登録商標）受信機２２とからなる。
【００４７】
これにより、非圧縮デジタル形式の映像音声データが、第２の無線通信装置２００−１または第３の無線通信装置２００−２から第１の無線通信装置１００に伝達される。ＨＤＭＩ（登録商標）送信機２１からＨＤＭＩ（登録商標）受信機２２に伝達される信号の中で、Ｈ／Ｖ  ｓｙｎｃは、水平（horizontal）／垂直（vertical）の同期信号（synchronizing signal）である。
【００４８】
ＨＤＭＩ（登録商標）送信機２１とＨＤＭＩ（登録商標）受信機２２との間で接続されている信号線の中でＤＤＣは、（ＶＥＳＡ）Ｄｉｓｐｌａｙ  Ｄａｔａ  Ｃｈａｎｎｅｌ方式のデータをやり取りする信号線である。また、ＣＥＣ（Consumer Electronics Control）は、ＨＤＭＩ（登録商標）で規定される機器制御用信号とプロトコル通信用の信号線である。Ｈｏｔ  Ｐｌｕｇ  Ｄｅｔｅｃｔは、ホットプラグ検出により端子の抜き差しを検出するための信号線である。
【００４９】
図３は、第１の無線通信装置１００、第２の無線通信装置２００−１および第３の無線通信装置２００−２の間で送信される８０２．１１無線ＬＡＮのＭＡＣ（Medium Access Control）フレーム基本フォーマットの一例を示す。図３に示すように、８０２．１１無線ＬＡＮのＭＡＣフレーム基本フォーマットは、ＭＡＣヘッダとフレーム・ボディとＦＣＳとから構成されている。
【００５０】
ＭＡＣヘッダには、フレーム制御用情報、送信側のＭＡＣアドレス、フレーム・ボディの変復調用データ（通信のレートなどに関するもの）などが含まれる。
【００５１】
また、ＭＡＣヘッダには、映像音声信号を無線通信で伝送するための無線通信機器のＭＡＣアドレスが含まれる。
【００５２】
フレーム・ボディには、映像音声データが含まれる。
【００５３】
ＦＣＳ（Frame Check Sequence）には、ＭＡＣヘッダおよびフレーム・ボディについての誤り訂正符号が含まれる。
【００５４】
上記の通り、無線通信の規格として、８０２．１１無線ＬＡＮ以外にも、ＷｉＭｅｄｉａやミリ波による無線ＰＡＮ（802.15.3c）などを利用することができるが、これらの通信規格に対応するフレームの基本フォーマットは大きくは変わらない。
【００５５】
＜データ送受信の第１例＞
図４は、図１に示す無線通信システム１における送受信処理の第１例を示す。この例においては、第１の無線通信装置１００と、第２の無線通信装置２００−１と、第３の無線通信装置２００−２とは、時分割多元接続（ＴＤＭＡ）（Time Division Multiple Access）通信方式により、同一周波数帯を時間的に複数に分割して通信を行う。時分割多元接続通信方式は、ＷｉＭｅｄｉａやミリ波通信で使用される。
【００５６】
図４において、横軸は時間である。時分割多元接続通信方式の第１例では、ネットワークに参加する第１の無線通信装置１００、第２の無線通信装置２００−１および第３の無線通信装置２００−２が、一定時間の周期で同期用データ（ビーコン）を送信する。
【００５７】
一定時間の周期は、スーパーフレームと称され、図４では、例示的に、連続するスーパーフレーム（１）、スーパーフレーム（２）、スーパーフレーム（３）を示す。
【００５８】
第１の無線通信装置１００、第２の無線通信装置２００−１および第３の無線通信装置２００−２が、一定時間の周期で同期用データ（ビーコン）を送信すると、ネットワークへの参加やデータ通信の帯域予約交渉処理が行われる。
【００５９】
各スーパーフレーム内では、同期用データ以外に、制御用データの送受信やアプリケーションに応じた映像データや音声データの送受信が行われる。図４に示す例では、スーパーフレーム（１）、（２）では、ビーコンと映像音声データ（映像音声１，映像音声２）が送受信されており、スーパーフレーム（３）では、ビーコンと制御用データと映像音声データ（映像音声１，映像音声２）が送受信されている。
【００６０】
第１の無線通信装置１００、第２の無線通信装置２００−１および第３の無線通信装置２００−２によってデータ通信の帯域予約交渉が行われる際、どの無線通信装置が、スーパーフレームのどの時間区間で映像データや音声データを送るのかが交渉されて決定される。
【００６１】
図４に示す例では、各スーパーフレーム（１），（２）または（３）により表される一定区間内において、第２の無線通信装置２００−１と第３の無線通信装置２００−２とから、１回ずつ交互に、映像音声データ送出可能な時間区間が決定されている。
【００６２】
なお、図４に示す例では、実線で示す映像音声データは、実際にデータが送信されたことを示し、破線で示す映像音声データは、時間帯は予約されているが実際には送信されなかったことを示している。
【００６３】
具体的に説明すると、図４において、最初の連続する２つのスーパーフレーム（１），（２）では、第２の無線通信装置２００−１が、映像音声データ（映像音声１）を第１の無線通信装置１００に送信した。これに対し、それらのフレームの間では、第３の無線通信装置２００−２は、映像音声データ（映像音声２）を第１の無線通信装置１００に送信しなかった。
【００６４】
スーパーフレーム（２）に続くスーパーフレーム（３）では、第１の無線通信装置１００、第２の無線通信装置２００−１および第３の無線通信装置２００−２の間で制御用データの送受信が実行された。これにより、第２の無線通信装置２００−１が映像音声データ（映像音声１）の送信を行わず、第３の無線通信装置２００−２が映像音声データ（映像音声２）を第１の無線通信装置１００に送信した。
【００６５】
＜データ送受信の第２例＞
図５は、図１に示す無線通信システム１における送受信処理の第２例を示す。この例においても、図４の例と同様に、第１の無線通信装置１００と、第２の無線通信装置２００−１と、第３の無線通信装置２００−２とは、時分割多元接続（ＴＤＭＡ）（Time Division Multiple Access）通信方式により、同一周波数帯を時間的に複数に分割して通信を行う。時分割多元接続通信方式は、ＷｉＭｅｄｉａやミリ波通信で使用される。
【００６６】
図５において、横軸は時間である。時分割多元接続通信方式の第２例では、ネットワークに参加する第１の無線通信装置１００、第２の無線通信装置２００−１および第３の無線通信装置２００−２が、スーパーフレーム内で同期用データ（ビーコン）を送信する。
【００６７】
図４では、各スーパーフレーム（１），（２），（３）により表される一定区間内において１回ずつ交互に、第２の無線通信装置２００−１と第３の無線通信装置２００−２とから映像音声データ送出できる時間区間が決定されている。
【００６８】
これに対し、図５では、短い時間間隔で、第２の無線通信装置２００−１から第１の無線通信装置１００に送信できる時間区間と、第３の無線通信装置２００−２から第１の無線通信装置１００に送信できる時間区間とが交互に送出可能になっている。
【００６９】
このように短い間隔で交互に映像音声データが送出可能になると、図４の場合と異なる効果を得られる。
【００７０】
つまり、無線通信によって、第２の無線通信装置２００−１または第３の無線通信装置２００−２から映像音声データが第１の無線通信装置１００に送信された後、第１の無線通信装置１００から外部の表示装置の映像・音声入力端子に映像音声データが入力されることになる。この際、第２の無線通信装置２００−１から第１の無線通信装置１００までの映像音声データの到達時間と、第３の無線通信装置２００−２から第１の無線通信装置１００までの映像音声データの到達時間との差を短くすることができる。
【００７１】
第１の無線通信装置１００が対応可能であれば、第２の無線通信装置２００−１および第３の無線通信装置２００−２から映像音声データを第１の無線通信装置１００に同時に送信するようにしてもよい。
【００７２】
＜無線通信システムの動作の一例＞
図６は、本実施の形態に係る無線通信システムの動作の一例のシーケンス図である。無線通信システムは、第１の無線通信装置１００（以下、「シンク機」と称す）、第２の無線通信装置２００−１（以下、「ソース機１」と称す）または第３の無線通信装置２００−２（以下、「ソース機２」と称す）からなる。
【００７３】
図６のシーケンスでは、ユーザが、映像音声を送出したい機器に接続されたソース機１またはソース機２にユーザ入力Ａを行ったときの無線通信システムの動作を表している。
【００７４】
図６のシーケンスでは、まず、シンク機、ソース機１およびソース機２の間で、無線通信のための同期処理、接続処理および通信周波数帯域予約処理を行う（ステップＳ６０１）。同期処理、接続処理および通信周波数帯域予約処理は、例えば、ＷｉＭｅｄｉａや無線ＰＡＮ（802.15.3c）の規格に則った方法を用いることができる。
【００７５】
次に、ソース機１のユーザ入力装置２０３に対しユーザ入力Ａがあると（ステップＳ６０２）、ソース機１は、シンク機に対し、制御用フレームによる送出開始要求を行う（ステップＳ６０３）。シンク機は、送出開始要求を受信すると、ソース機１に対し、この送出開始要求に対する応答を行う（ステップＳ６０４）。
【００７６】
次に、シンク機は、ソース機２に対し制御用フレームによる送出停止要求を行う（ステップＳ６０５）。ソース機２は、送出停止要求を受信すると、シンク機に対しこの送出停止要求に対する応答を行う（ステップＳ６０６）。
【００７７】
なお、ユーザ入力Ａとして、ボタンスイッチを押している時間が１秒以下の入力信号や、１秒間に２回ボタンスイッチが押されたことによる入力信号を用いることができる。
【００７８】
次に、シンク機、ソース機１およびソース機２の間で、通信帯域の予約および削除が行われる（ステップＳ６０７）。
【００７９】
次に、シンク機が、ソース機１に送出開始応答を行い（ステップＳ６０８）、これに対し、ソース機１がシンク機に対し応答を行う（ステップＳ６０９）。
【００８０】
これにより、ソース機１からシンク機に映像音声データの送信が行われるようになる（ステップＳ６１１）。この映像音声データの送受信は、例えば、ＷｉＭｅｄｉａや無線ＰＡＮ（802.15.3c）の規格に則った方法を用いることができ、ＭＡＣアドレスなどにより通信相手が識別される。映像音声データは、図３に示すＭＡＣフレーム基本フォーマットのフレーム・ボディに付帯されている。
【００８１】
一方、ソース機２は、映像音声データを送信する必要がないので、省電力モードへ移行する（ステップＳ６１０）ことが望ましい。省電力モードへの移行は、例えば、ソース機２の映像音声入力処理部２０２がハードウェアで構成されているときには、入力されるクロックや電源の供給を停止させることにより行う。
【００８２】
次に、ソース機２のユーザ入力装置２０３にユーザ入力Ａがあり、ソース機２の省電力モードが解除されると（ステップＳ６１２）、ソース機２は、シンク機に対し、送出開始要求を行う（ステップＳ６１３）。シンク機は、送出開始要求を受信すると、ソース機２に対し、この送出開始要求に対する応答を行い（ステップＳ６１４）、さらに、ソース機１に対し送出停止要求を行う（ステップＳ６１５）。ソース機１は、シンク機に対し、送出停止要求に対する応答を行う（ステップＳ６１６）。
【００８３】
これにより、ソース機１は、シンク機に対する映像音声データの送出を停止して（ステップＳ６１７）、シンク機に対し停止済通知を行う（ステップＳ６１８）。これに対し、シンク機はソース機１に応答を行う（ステップＳ６１９）。
【００８４】
次に、シンク機、ソース機１およびソース機２の間で、通信帯域の予約および削除が行われる（ステップＳ６２０）。
【００８５】
次に、シンク機が、ソース機２に送出開始応答を行い（ステップＳ６２１）、これに対し、ソース機２がシンク機に応答を行う（ステップＳ６２２）。
【００８６】
これにより、ソース機２からシンク機に映像音声データの送信が行われる（ステップＳ６２３）。この映像音声データの送受信は、例えば、ＷｉＭｅｄｉａや無線ＰＡＮ（802.15.3c）の規格に則った方法を用いることができ、ＭＡＣアドレスなどにより通信相手が識別される。映像音声データは、図３に示すＭＡＣフレーム基本フォーマットのフレーム・ボディに付帯されている。
【００８７】
一方、ソース機１は、映像音声データを送信する必要がないので、省電力モードへ移行する（ステップＳ６２４）ことが望ましい。省電力モードへの移行は、例えば、ソース機１の映像音声入力処理部２０２がハードウェアで構成されているときには、入力されるクロックや電源の供給を停止させることにより行う。
【００８８】
次に、図７を参照しながら、ソース機１が未ロック状態にある場合の無線通信システムの動作の一例を説明する。
【００８９】
図７のシーケンスにおいては、ソース機１がシンク機に映像音声データを送出している（ステップＳ７０１）。これは、図６に関連して説明したように、ソース機１が、シンク機に送出開始応答を行い、それに対し、シンク機が、ソース機１に対し応答を行った後に、ソース機１がシンク機に映像音声データを送出している状態である。
【００９０】
図７のシーケンスにおいて、ソース機１がシンク機に映像音声データを送出している当初、ソース機１は未ロック状態にある（ステップＳ７０２）。未ロック状態にあるということは、ロック状態にないことを意味する。ロック状態にあるということは、ロック状態にあるソース機１またはソース機２の一方のみが、シンク機に対し映像音声の送出が可能で、ロック状態にないソース機１またはソース機２に映像音声の伝送をする権利を譲らないことを意味する。
【００９１】
次に、ソース機１のユーザ入力装置２０３に対しユーザ入力Ｂがあると（ステップＳ７０３）、ソース機１は、シンク機に対し、制御用フレームによるロック済通知を行う（ステップＳ７０４）。
【００９２】
ここでは、ユーザ入力Ｂは、受信装置との映像音声データのデータ通信を占有することを示す占有情報を含む信号として機能する。ただし、映像音声データのデータ通信には、同期用データや制御用データの通信は含まれず、ユーザ入力Ｂによっては、同期用データや制御用データの通信は制限されない。
【００９３】
シンク機は、ロック済通知を受信すると、ソース機２に対し制御用フレームによるロック済通知を行う（ステップＳ７０５）。
【００９４】
ソース機２は、ロック済通知を受信すると、シンク機に対し、このロック済通知に対する応答を行う（ステップＳ７０６）。シンク機は、ソース機２からこの応答を受信すると、ソース機１に対し、ソース機１から受信したロック済通知に対する応答を行う（ステップＳ７０７）。
【００９５】
なお、ユーザ入力Ｂとして、例えば、ボタンスイッチを押し下げている時間が１秒を越えるが２秒以下の入力や１秒間に４回ボタンスイッチを押し下げることによる入力を用いることができる。
【００９６】
また、ソース機１がロック状態になっていることを示すロック済通知は、シンク機からソース機２に伝達しなくてもよい。シンク機は、ロック済通知を受信すると、その後、ロック済通知を行っていないソース機から送出開始要求を受信してもその要求には応答をしないからである。ただし、このソース機２の送出開始要求の無駄な送出を防ぐ観点からは、シンク機がソース機２にソース機１のロック済通知を行うことは望ましい。
【００９７】
このように、ソース機１は、ユーザ入力Ｂの入力があることにより、ロック状態になる。ロック状態では、ソース機２にユーザ入力Ａの入力があり、シンク機に送出開始要求がされたとしても、その要求に対して応答はされないため、ソース機２が映像音声データの送出をすることはできない。
【００９８】
次に、図８を参照しながら、ロック状態にあるソース機１のロック状態が解除される場合の無線通信システムの動作のシーケンスの一例を説明する。
【００９９】
図８のシーケンスにおいて、ソース機１が、シンク機に映像音声データを送出しており（ステップＳ８０１）、さらに、ソース機１がロック状態にある（ステップＳ８０２）。
【０１００】
次に、ソース機１のユーザ入力装置２０３に対しユーザ入力Ｂがあると（ステップＳ８０３）、ソース機１は、シンク機に対し、制御用フレームによるロック解除済通知を行う（ステップＳ８０４）。シンク機は、ロック解除済通知を受信すると、ソース機２に対し制御用フレームによるロック解除済通知を行う（ステップＳ８０５）。
【０１０１】
このように、ロック状態にあるソース機１にユーザ入力Ｂがあると（ステップＳ８０３）、ユーザ入力は、データ通信を占有することを示す占有情報を含む信号としては機能せず、ロック状態を解除するための信号として機能する。
【０１０２】
ソース機２は、ロック解除済通知を受信すると、シンク機に対し、このロック解除済通知に対する応答を行う（ステップＳ８０６）。シンク機は、ソース機２からこの応答を受信すると、ソース機１に対し、ソース機１から受信したロック解除済通知に対する応答を行う（ステップＳ８０７）。
【０１０３】
ソース機１のロック状態が解除された後に、ソース機２にユーザ入力Ａがあると、図６のシーケンスにおいて、通信システムがステップＳ６１２以降の動作を行い、ソース機２が映像音声データを送出できるようになる（ステップＳ６２２）。
【０１０４】
図８のシーケンスの例では、ユーザ入力Ｂがあるとソース機１のロック状態が解除されている。これに代わり、ロック状態の解除は、映像音声データの送出を行っているソース機からシンク機への通信が切断されたとき、ロック状態の時間が所定時間経過したとき、ビデオインタフェース端子の接続がきれたとき等に行われるようにしてもよい。所定時間経過は、例えば、１時間経過の場合が該当する。
【０１０５】
次に、図９を参照しながら、図６から図８のシーケンスにおける、送出開始要求（ステップＳ６０３）、許可応答（ステップＳ６０４）、停止済通知（ステップＳ６１７）、受信応答（ステップＳ６１８）、ロック済通知（ステップＳ７０４，ステップＳ７０５）およびロック解除済通知（ステップＳ８０４，ステップＳ８０５）において送信されるメッセージＭ１からＭ４について説明する。
【０１０６】
図９において、ＭＡＣアドレス１、ＭＡＣアドレス２およびＭＡＣアドレス３は、それぞれ、ソース機１、シンク機およびソース機２のＭＡＣアドレスである。
【０１０７】
送出開始要求、許可応答、停止済通知、受信応答、ロック済通知およびロック解除済通知の情報は全て１ビットで表している。
【０１０８】
同期用フレームまたは制御用フレームのヘッダに送信元のＭＡＣアドレスおよび送信先のＭＡＣアドレスを含め、ペイロードに、送出開始要求、許可応答、停止済通知、受信応答、ロック済通知およびロック解除済通知の情報を含めて送信を行う。これにより、ソース機１、シンク機およびソース機２が受信したメッセージの意味を把握することができる。
【０１０９】
図１０は、ソース機１またはソース機２にユーザ入力Ａおよびユーザ入力Ｂがあったときのソース機１またはソース機２の処理のフローチャートを示す。以下の説明において、単に、「ソース機」と表記した場合には、ソース機１またはソース機２のどちらかであることを意味する。
【０１１０】
最初に、シンク機の制御部１０１は、受信したデータが、ソース機からの制御用データであるか否かを判別する（ステップＳ１００１）。シンク機の制御部１０１は、ステップＳ１００１において、受信したデータがソース機からの制御用データではないと判別したときには、再度、ステップＳ１００１の判別を繰り返す。
【０１１１】
シンク機の制御部１０１は、ステップＳ１００１において、受信したデータがソース機からの制御用データであると判別したときには、受信したデータは動作Ａの制御用フレームであるか否かを判別する（ステップＳ１００２）。ここで、動作Ａは、映像音声データの送出に関するユーザの動作を意味する。例えば、動作Ａとして、ユーザ入力装置２０３にユーザ入力Ａをすることが該当する。
【０１１２】
シンク機の制御部１０１は、ステップＳ１００２において、受信したデータが動作Ａの制御用フレームであると判別したときには、制御用データ送信元以外のソース機に、制御フレームにより送出停止要求を送信する（ステップＳ１００３）。
【０１１３】
次に、シンク機の制御部１０１は、複数のソース機との間で、通信帯域の削除と予約とを行う（ステップＳ１００４）。続いて、シンク機の制御部１０１は、制御用データの送信元のソース機に、映像音声データの送出開始要求を行う（ステップＳ１００５）。これにより、シンク機は、ソース機にユーザの動作Ａが行われた場合の処理に関するフローを終了する。
【０１１４】
一方、シンク機の制御部１０１は、ステップＳ１００２において、受信したデータが動作Ａの制御用フレームではないと判別したときには、続いて、受信したデータは動作Ｂの制御用フレームであるか否かを判別する（ステップＳ１００６）。ここで、動作Ｂは、ソース機のロックの設定または設定の解除に関するユーザの動作を意味する。例えば、動作Ｂとして、ユーザ入力装置２０３にユーザ入力Ｂをすることが該当する。
【０１１５】
シンク機の制御部１０１は、ステップＳ１００６において、受信したデータは動作Ｂの制御用フレームではないと判別したときには、ステップＳ１００１の処理に戻る。
【０１１６】
シンク機の制御部１０１は、ステップＳ１００６において、受信したデータは動作Ｂの制御用フレームであると判別したときには、制御用データの送信元以外のソース機に、受信した制御用フレームと同様の制御用フレームを送信する（ステップＳ１００７）。これにより、シンク機は、ソース機にユーザの動作Ｂが行われた場合の処理に関するフローを終了する。
【０１１７】
図１１は、ソース機１またはソース機２にユーザ入力Ａおよびユーザ入力Ｂがあったときのそれらの入力があったソース機１またはソース機２の処理のフローチャートを示す。以下の説明において、単に、「ソース機」と表記した場合には、ソース機１またはソース機２のどちらかであることを意味する。
【０１１８】
まず、ソース機の制御部２０１は、ユーザ入力装置２０３に入力された信号がユーザ入力であるか否かを判別し（ステップＳ１１０１）、入力された信号はユーザ入力ではないと判別したときには、再度、ステップＳ１１０１の処理を行う。
【０１１９】
ソース機の制御部２０１は、ステップＳ１１０１において、入力された信号はユーザ入力であると判別したときには、入力された信号がユーザ入力Ａであるか否かを判別する（ステップＳ１１０２）。
【０１２０】
ソース機の制御部２０１は、ステップＳ１１０２において、ユーザ入力はユーザ入力Ａであると判別したときには、当該ソース機が映像音声送出中であるか否かを判別する（ステップＳ１１０３）。
【０１２１】
ソース機の制御部２０１は、ステップＳ１１０３において、当該ソース機は映像音声送出中であると判別したときには、当該ソース機がロック状態にあるか否かを判別する（ステップＳ１１０４）。
【０１２２】
ソース機の制御部２０１は、ステップＳ１１０４において、当該ソース機がロック状態にあると判別したときには、ロック状態を解除する（ステップＳ１１０５）。
【０１２３】
ソース機の制御部２０１は、ステップＳ１１０４において、当該ソース機がロック状態にはないと判別したとき、または、ステップＳ１１０５において、ロック状態が解除されたときには、映像音声データの送出を停止する（ステップＳ１１０６）。
【０１２４】
また、ソース機の制御部２０１は、ステップＳ１１０３において、当該ソース機は映像音声送出中ではないと判別したときには、シンク機に、制御フレームによって送出開始要求を送出する（ステップＳ１１０７）。
【０１２５】
次に、ソース機は、例えば、当該ソース機がソース機１の場合には、ソース機１が、映像音声データの送出ができるように通信帯域の予約を行い（ステップＳ１１０８）、ステップＳ１１０１の処理に戻る。
【０１２６】
一方、ソース機の制御部２０１は、ステップＳ１１０２において、入力された信号はユーザ入力Ａではないと判別したときには、入力された信号はユーザ入力Ｂであるか否かの判別をする（ステップＳ１１０９）。
【０１２７】
次に、ソース機の制御部２０１は、ステップＳ１１０９において、入力された信号はユーザ入力Ｂであると判別したときには、当該ソース機以外のソース機がロック中であるか否かを判別する（ステップＳ１１１０）。
【０１２８】
ソース機の制御部２０１は、ステップＳ１１１０において、他のソース機はロック中ではないと判別したときには、当該ソース機は映像音声データの送出中であるか否かを判別する（ステップＳ１１１１）。
【０１２９】
ソース機の制御部２０１は、ステップＳ１１１１において当該ソース機は映像音声データの送出中ではないと判別したときにステップＳ１１０１の処理に戻る。また、ステップＳ１１１０において他のソース機はロック中であると判別したときにもステップＳ１１０１の処理に戻る。さらに、ステップＳ１１０９において入力された信号はユーザ入力Ｂではないと判別したときにも、ステップＳ１１０１の処理に戻る。
【０１３０】
ソース機の制御部２０１は、ステップＳ１１１１において、当該ソース機は映像音声データの送出中であると判別したときには、当該ソース機がロック状態にあるか否かを判別する（ステップＳ１１１２）。
【０１３１】
ソース機の制御部２０１は、ステップＳ１１１２において、当該ソース機はロック状態にはないと判別したときには、当該ソース機にロック状態を設定する（ステップＳ１１１３）。次に、ソース機の制御部２０１は、シンク機に、制御フレームによってロック済通知を行い、ステップＳ１１０１の処理に戻る。
【０１３２】
また、ソース機の制御部２０１は、ステップＳ１１１２において、当該ソース機はロック状態にあると判別したときには、シンク機への映像音声データの送出を停止する（ステップＳ１１１５）。
【０１３３】
次に、ソース機の制御部２０１は、当該ソース機のロック状態を解除し（ステップＳ１１１６）、シンク機に、制御フレームによってロック解除済みの通知を行い、ステップＳ１１０１の処理に戻る。
【０１３４】
次に、図１２は、ソース機１またはソース機２が制御フレームを受信した時の処理のフローチャートを示す。単に、「ソース機」と表記した場合には、ソース機１またはソース機２のどちらかであることを意味する。
【０１３５】
まず、ソース機の制御部２０１は、受信したデータが、シンク機からの制御フレームによるものであるか否かを判別する（ステップＳ１２０１）。ソース機の制御部２０１は、ステップＳ１２０１において、受信したデータが、シンク機からの制御フレームによるものではないと判別したときには、再度、ステップＳ１２０１の処理を繰り返す。
【０１３６】
ソース機の制御部２０１は、ステップＳ１２０１において、受信したデータが、シンク機からの制御フレームによるものであると判別したときには、受信したデータは、制御フレームによるロック済の通知であるか否かを判別する（ステップＳ１２０２）。
【０１３７】
ソース機の制御部２０１は、ステップＳ１２０２において、受信したデータは、制御フレームによるロック済の通知であると判別したときには、どのソース機がロック済状態であるかを記憶する（ステップＳ１２０３）。ソース機の判別は例えばＭＡＣアドレスによって行うことができる。この後、ソース機は制御フレームを受信した時の処理を終了する。
【０１３８】
一方、ソース機の制御部２０１は、ステップＳ１２０２において、受信したデータは、制御フレームによるロック済の通知ではないと判別したときには、受信したデータは、制御フレームによるロック解除済みの通知であるか否かを判別する（ステップＳ１２０４）。
【０１３９】
ソース機の制御部２０１は、ステップＳ１２０４において、受信したデータは、制御フレームによるロック解除済みの通知であると判別したときには、ロック済の状態のソース機がロック解除されたものと記憶する（ステップＳ１２０５）。これにより、ソース機の制御部２０１は、制御フレームを受信した時の処理を終了する。
【０１４０】
また、ソース機の制御部２０１は、ステップＳ１２０４において、受信したデータは、制御フレームによるロック解除済みの通知ではないと判別したときには、ステップＳ１２０１の処理に戻る。
【０１４１】
［第２の実施の形態の無線通信システム］
図１３は、本発明の第２の実施の形態に係る無線通信システム２のブロック図を示す。図１に示す第１の実施の形態に係る無線通信システム１と比較すると、無線通信システム２において、第２の無線通信装置２００Ａ−１が、さらに、映像音声圧縮部２０７および映像音声記憶部２０８を備える点が異なる。また、第１の無線通信装置１００が、さらに、映像音声伸長部１０７および映像音声記憶部１０８を備える点が異なる。無線通信システム１と無線通信システム２とにおいて、同一の符号が付されている構成要素は同一の機能を有するので重複する説明は省略する。
【０１４２】
無線通信システム２は、第１の無線通信装置１００Ａ、第２の無線通信装置２００Ａ−１および第３の無線通信装置２００Ａ−２を備える。なお、第２の無線通信装置２００Ａ−１と第３の無線通信装置２００Ａ−２とは同一の構成であるため、第２の無線通信装置２００Ａ−１について説明を行い、第３の無線通信装置２００Ａ−２については、同一の符号を付して説明は省略する。
【０１４３】
＜第２の無線通信装置２００Ａ−１＞
第２の無線通信装置２００Ａ−１においては、映像音声圧縮部２０７が、制御部２０１に接続されている。映像音声圧縮部２０７は、制御部２０１から、映像音声データを受信すると、その受信した映像音声データを圧縮する。
【０１４４】
また、第２の無線通信装置２００Ａ−１においては、映像音声記憶部２０８が、制御部２０１および映像音声圧縮部２０７に接続されている。映像音声圧縮部２０７は、圧縮処理の際のバッファとして映像音声記憶部２０８を利用するとともに、圧縮した映像音声データを映像音声記憶部２０８に格納する。
【０１４５】
この構成により、その映像音声データが圧縮処理をするように設定されている場合には、制御部２０１は、映像音声入力処理部２０２から映像音声データを受信すると、その映像音声データを映像音声圧縮部２０７に入力して圧縮を行わせる。制御部２０１は、その圧縮した映像音声データを映像音声記憶部２０８に格納する。
【０１４６】
それから、制御部２０１は、所定の制御下において、映像音声記憶部２０８に格納されている圧縮された映像音声データを無線通信処理部２０６を経由して、第１の無線通信装置１００Ａに送信する。
【０１４７】
＜第１の無線通信装置１００Ａ＞
第１の無線通信装置１００Ａにおいては、映像音声伸長部１０７が、制御部１０１に接続されている。映像音声伸長部１０７は、制御部１０１から、圧縮された映像音声データを受信すると、その映像音声データに伸長処理を行う。
【０１４８】
また、第１の無線通信装置１００Ａにおいては、映像音声記憶部１０８が、制御部１０１および映像音声伸長部１０７に接続されている。映像音声伸長部１０７は、映像音声記憶部１０８を伸長処理の際のバッファとして利用するとともに、伸長した映像音声データを映像音声記憶部１０８に格納する。
【０１４９】
この構成により、その映像音声データが圧縮処理されている場合には、制御部１０１は、無線通信処理部１０６から映像音声データを受信すると、その映像音声データを映像音声伸長部１０７に入力して伸長処理をさせる。制御部１０１は、その伸長した映像音声データを映像音声記憶部１０８に格納する。
【０１５０】
それから、制御部１０１は、所定の制御下において、映像音声記憶部１０８に格納されている映像音声データを映像音声出力処理部１０２を経由して外部の表示装置に送信する。
【０１５１】
無線通信システム２のように、映像音声データを圧縮することで、映像音声データの容量を削減することができるため、無線通信処理部２０６，１０６における負荷を減少させることができる。また、通信帯域が狭い場合にも、フレームレートを下げなくてもよくなるため、無線通信における時間的な遅れを減少させることができる。
【０１５２】
この実施の形態では、圧縮および伸長を行わない設定の映像音声データを用いてもよい。また、第１の無線通信装置１００Ａの制御部１０１が、第２の無線通信装置２００Ａ−１および第３の無線通信装置２００Ａ−２からの映像音声データを同時に、間引いて映像音声記憶部１０８に格納するようにしてもよい。これにより、制御部１０１が、第２の無線通信装置２００Ａ−１および第３の無線通信装置２００Ａ−２からの映像音声データを合成して同時に映像音声出力処理部１０２に転送することができる。
【０１５３】
また、第２の無線通信装置２００Ａ−１および第３の無線通信装置２００Ａ−２からの映像音声データを合成して略同時に映像音声出力処理部１０２に転送することにより、モニターなどの表示装置に、それらの合成した映像音声データを略同時に表示させることができる。
【０１５４】
また、第２の無線通信装置２００Ａ−１および第３の無線通信装置２００Ａ−２からの映像音声データの映像が、空間的に少し離されて撮影された少し差異があるカメラ映像である場合がある。この場合には、制御部１０１は、それらの映像音声データを映像音声記憶部１０８を利用して合成することにより３Ｄ映像として表示させることができる。
【０１５５】
［第３の実施の形態の無線通信システム］
図１４は、本発明の第３の実施の形態に係る無線通信システム３のブロック図を示す。図１に示す第１の実施の形態に係る無線通信システム１と比較すると、無線通信システム３は、第２の無線通信装置２００Ｂ−１および第３の無線通信装置２００Ｂ−２が、表示部２０９を備える点が異なる。
【０１５６】
また、無線通信システム３は、第１の無線通信装置１００Ｂが、表示部１０９を備える点も異なる。無線通信システム１と無線通信システム３とにおいて、同一の符号が付されている構成要素は同一の機能を有するので重複する説明は省略する。
【０１５７】
無線通信システム３は、第１の無線通信装置１００Ｂ、第２の無線通信装置２００Ｂ−１および第３の無線通信装置２００Ｂ−２を備える。なお、第２の無線通信装置２００Ｂ−１と第３の無線通信装置２００Ｂ−２とは同一の構成であるため、第２の無線通信装置２００Ｂ−１について説明を行い、第３の無線通信装置２００Ｂ−２については、同一の符号を付して説明は省略する。
【０１５８】
＜第２の無線通信装置２００Ｂ−１＞
第２の無線通信装置２００Ｂ−１においては、表示部２０９が、制御部２０１に接続されている。表示部２０９は、ユーザ入力装置２０３に対して行われた操作内容を表示する。具体的には、表示部２０９は、ユーザ入力装置２０３のボタンスイッチが、所定の時間と比較された上で、押された時間を表示する。これにより、ユーザは、ユーザ入力装置２０３のボタンスイッチを、所定の時間よりも長い時間押し下げたか否かを容易に判断することができる。
【０１５９】
表示部２０９は、ＬＥＤ（Light Emitting Diode）、ＬＣＤ（Liquid Crystal Display）、液晶パネル等であることが望ましい。また、表示部２０９にタッチパネルを組み込み、タッチパネルの部分において、表示部２０９にユーザ入力装置２０３の機能を持たせるようにしてもよい。
【０１６０】
＜第１の無線通信装置１００Ｂ＞
第１の無線通信装置１００Ｂにおいては、表示部１０９が、制御部１０１に接続されている。表示部１０９は、第１の無線通信装置１００Ｂの処理内容を表示する。具体的には、例えば、表示部１０９に、映像音声出力処理部１０２が、映像音声データを出力中であることが表示される。
【０１６１】
表示部１０９は、ＬＥＤ（Light Emitting Diode）、ＬＣＤ（Liquid Crystal Display）、液晶パネル等であることが望ましい。
【０１６２】
この実施の態様によると、第２の無線通信装置２００Ｂ−１および第３の無線通信装置２００Ｂ−２においては、操作内容を表示できることにより、ユーザは操作内容を確認しつつ操作を行うことができる。例えば、誤操作を確認できるため、操作をやり直すことができる。また、第１の無線通信装置１００Ｂでは、当該装置の処理内容を表示できることにより、ユーザは処理の状況を把握することができる。
【０１６３】
＜無線通信システム３の動作＞
図１５は、無線通信システム３の第２の無線通信装置２００Ｂ−１および第３の無線通信装置２００Ｂ−２に設けた表示部２０９に関する制御部２０１の制御のフローチャートである。
【０１６４】
まず、制御部２０１は、ユーザ入力装置２０３に入力があると、その入力が、所定のユーザ入力の信号であるか否かを判別する（ステップＳ１５０１）。この判別は、例えば、第１の所定の時間ｔ１および第２の所定の時間ｔ２を設定し、ユーザ入力装置２０３のボタンスイッチを押し下げる時間がｔ１よりも短いか否かを基準とし、ユーザ入力ではないと判別する。ｔ２は、ボタンスイッチが長押しであるか否かを判別する基準として用いる。
【０１６５】
制御部２０１は、ステップＳ１５０１において、ユーザ入力装置２０３の入力が、所定のユーザ入力でないと判別したときには、再度、ステップＳ１５０１の処理を繰り返す。
【０１６６】
制御部２０１は、ステップＳ１５０１において、ユーザ入力装置２０３の入力が、所定のユーザ入力であると判別したときには、そのユーザ入力が長押しされたものであるか否かを判別する。この判別は、上記の第２の所定の時間ｔ２の比較によって行ってもよい。
【０１６７】
制御部２０１は、ステップＳ１５０２において、ユーザ入力が長押しされたものであると判別したときには、表示部２０９に、ユーザ入力装置２０３に長押し動作があった旨を表示する（ステップＳ１５０４）。
【０１６８】
一方、制御部２０１は、ステップＳ１５０２において、ユーザ入力は長押しされたものではないと判別したときには、表示部２０９に、ユーザ入力装置２０３に非長押し動作があった旨を表示する（ステップＳ１５０３）。
【０１６９】
制御部２０１は、ステップＳ１５０３またはステップＳ１５０４の処理が終了すると、この表示部２０９に関する制御部２０１の制御を終了する。
【０１７０】
ユーザ入力の表示に代えて、表示部２０９に、第２の無線通信装置２００Ｂ−１または第３の無線通信装置２００Ｂ−２から、第１の無線通信装置１００Ｂに、映像音声データを出力中であることを表示するようにしてもよい。
【０１７１】
また、映像音声データを伝送中である場合には、表示部２０９に、転送レートなどの通信品質や映像品質を表示するようにしてもよい。映像品質としては、解像度などのパラメータを表示するようにしてもよい。
【０１７２】
図１６は、無線通信システム３の第２の無線通信装置２００Ｂ−１および第３の無線通信装置２００Ｂ−２に設けた表示部２０９に関する制御部２０１の制御の他の例に係るフローチャートである。
【０１７３】
まず、第２の無線通信装置２００Ｂ−１または第３の無線通信装置２００Ｂ−２（以下、「ソース機」と称する）の制御部２０１は、受信したデータが、第１の無線通信装置１００Ｂ（以下、「シンク機」と称する）からの制御フレームによるものであるか否かを判別する（ステップＳ１６０１）。
【０１７４】
制御部２０１は、ステップＳ１６０１において、受信したデータが、シンク機からの制御フレームによるものではないと判別したときには、再度、ステップＳ１６０１の処理を繰り返す。
【０１７５】
制御部２０１は、ステップＳ１６０１において、受信したデータが、シンク機からの制御フレームによるものであると判別したときには、受信したデータは、制御フレームによるロック済の通知であるか否かを判別する（ステップＳ１６０２）。
【０１７６】
制御部２０１は、ステップＳ１６０２において、受信したデータは、制御フレームによるロック済の通知であると判別したときには、どのソース機がロック済状態であるかを記憶する（ステップＳ１６０３）。ソース機の判別は例えばＭＡＣアドレスによって行うことができる。続けて、制御部２０１は、表示部２０９に、当該ソース機以外のソース機がロックした状態にある旨を表示して、制御フレームを受信したときの表示部２０９の表示処理を終了する。
【０１７７】
一方、制御部２０１は、ステップＳ１６０２において、受信したデータは、制御フレームによるロック済の通知ではないと判別したときには、受信したデータは、制御フレームによるロック解除済みの通知であるか否かを判別する（ステップＳ１６０５）。
【０１７８】
制御部２０１は、ステップＳ１６０５において、受信したデータは、制御フレームによるロック解除済みの通知であると判別したときには、ロック済の状態のソース機がロック解除されたと記憶する（ステップＳ１６０６）。続けて、制御部２０１は、表示部２０９に、当該ソース機以外のソース機がロック解除された状態にある旨を表示して、制御フレームを受信したときの表示部２０９の表示処理を終了する。
【０１７９】
また、制御部２０１は、ステップＳ１６０５において、受信したデータは、制御フレームによるロック解除済みの通知ではないと判別したときには、ステップＳ１６０１の処理に戻る。
【０１８０】
この実施の形態によると、どのソース機がロック状態にあるのか、または、どのソース機がロック解除状態にあるのかが表示部で容易に確認することができる。
【０１８１】
［第４の実施の形態の無線通信システム］
図１７は、本発明の第４の実施の形態に係る無線通信システム４のブロック図を示す。図１に示す第１の実施の形態に係る無線通信システム１と比較すると、無線通信システム４は、第２の無線通信装置２００Ｃ−１および第３の無線通信装置２００Ｃ−２の無線通信処理部２０６が、データ暗号・復号化部２１１を備える点が異なる。
【０１８２】
また無線通信システム４は、第１の無線通信装置１００Ｃの無線通信処理部１０６が、データ暗号・復号化部１１１を備える点も異なる。無線通信システム１と無線通信システム４とにおいて、同一の符号が付されている構成要素は同一の機能を有するので重複する説明は省略する。
【０１８３】
無線通信システム４は、第１の無線通信装置１００Ｃ、第２の無線通信装置２００Ｃ−１および第３の無線通信装置２００Ｃ−２を備える。なお、第２の無線通信装置２００Ｃ−１と第３の無線通信装置２００Ｃ−２とは同一の構成であるため、第２の無線通信装置２００Ｃ−１について説明を行い、第３の無線通信装置２００Ｃ−２については、同一の符号を付して説明は省略する。
【０１８４】
＜第２の無線通信装置２００Ｃ−１＞
第２の無線通信装置２００Ｃ−１においては、データ暗号・復号化部２１１が、無線通信処理部２０６に設けられている。
【０１８５】
データ暗号・復号化部２１１は、第１の無線通信装置１００Ｃと同一のアルゴリズムでマスター鍵を生成する。また、データ暗号・復号化部２１１は、そのマスター鍵と第１の無線通信装置１００ＣのＭＡＣアドレスから暗号鍵を生成する。
【０１８６】
データ暗号・復号化部２１１は、マスター鍵の生成、暗号鍵の生成の際に、無線ＬＡＮのＷＰＳ（Wi-Fi Protected Setup）規格のプッシュボタン方式を利用してもよい。具体的にはソース機とシンク機とのプッシュボタンをそれぞれ押して暗号化処理の準備をする。
【０１８７】
また、データ暗号・復号化部２１１は、暗号鍵で第１の無線通信装置１００Ｃへ送信する映像音声データを暗号化する。データ暗号・復号化部２１１により暗号化されたデータ（暗号化データ）は、無線通信処理部２０６から第１の無線通信装置１００Ｃの無線通信処理部１０６へ送信される。
【０１８８】
＜第１の無線通信装置１００Ｃ＞
第１の無線通信装置１００Ｃにおいては、データ暗号・復号化部１１１が、無線通信処理部１０６に設けられている。
【０１８９】
データ暗号・復号化部１１１は、第２の無線通信装置２００Ｃ−１と同一のアルゴリズムでマスター鍵を生成する。データ暗号・復号化部１１１は、マスター鍵と、第１の無線通信装置１００ＣのＭＡＣアドレスに基づいて、暗号鍵に対する復号鍵を取得する。例えば、データ暗号・復号化部１１１は、鍵発行センタ（図示なし）から復号鍵を取得するようにしてもよい。データ暗号・復号化部１１１は、復号鍵により第２の無線通信装置２００Ｃ−１から受信した暗号化されたデータ（暗号化データ）を復号し、制御部１０１に入力する。
【０１９０】
＜無線通信システム４の動作＞
図１８は、無線通信システム４の動作のシーケンスの一例を示す。
【０１９１】
図１８のシーケンスでは、まず、シンク機、ソース機１およびソース機２の間で、無線通信のための同期処理、接続処理および通信周波数帯域予約処理を行う（ステップＳ１８０１）。同期処理、接続処理および通信周波数帯域予約処理は、例えば、ＷｉＭｅｄｉａや無線ＰＡＮ（802.15.3c）の規格に則った方法を用いることができる。
【０１９２】
次に、ソース機１のデータ暗号・復号化部２１１がマスター鍵を生成する（ステップＳ１８０２）。
【０１９３】
また、シンク機のデータ暗号・復号化部１１１がマスター鍵を生成する（ステップＳ１８０３）。
【０１９４】
次に、ソース機１とシンク機との間で、暗号鍵の生成・共有が行われる（ステップＳ１８０４）。例えば、ソース機１のデータ暗号・復号化部２１１は、マスター鍵とシンク機のＭＡＣアドレスとに基づいて、暗号鍵を生成する。シンク機は、マスター鍵とシンク機のＭＡＣアドレスに基づいて復号鍵を取得する。
【０１９５】
次に、ソース機１のユーザ入力装置２０３に対しユーザ入力Ａがあると（ステップＳ１８０５）、ソース機１は、シンク機に対し、制御用フレームによる送出開始要求を行う（ステップＳ１８０６）。シンク機は、送出開始要求を受信すると、ソース機２に対し制御用フレームによる送出停止要求を行う（ステップＳ１８０７）。
【０１９６】
ソース機２は、送出停止要求を受信すると、シンク機に対し、送出停止要求に対する応答を行う（ステップＳ１８０８）。シンク機は、その応答を受信すると、ソース機１に対し、送出開始要求に対する応答を行う（ステップＳ１８０９）。
【０１９７】
これにより、ソース機１からシンク機に、暗号化された映像音声データの送信が行われる（ステップＳ１８１１）。この映像音声データの送受信は、例えば、ＷｉＭｅｄｉａや無線ＰＡＮ（802.15.3c）の規格に則った方法を用いることができ、ＭＡＣアドレスなどにより通信相手が識別される。映像音声データは、図３に示すＭＡＣフレーム基本フォーマットのフレーム・ボディに付帯されている。
【０１９８】
一方、ソース機２は、映像音声データを伝送しないので、省電力モードに移行すること（ステップＳ１８１０）が望ましい。省電力モードへの移行は、例えば、ソース機２の映像音声入力処理部２０２がハードウェアで構成されているときには、入力されるクロックや電源の供給を停止させることにより行う。
【０１９９】
本実施の形態によれば、映像音声データを暗号化して送信するため、映像音声データが無線伝送の際に盗聴される可能性を低減できる。このため、セキュリティの高いシステムを構築できるようになる。
【０２００】
上記の通り、本発明はいくつかの実施の形態に基づいて説明したが、それらは例示にすぎず、当業者は、さまざまな変形例や代替例を想起することができるであろう。本発明は、特許請求の範囲に基づいて解釈されるものであり、それを逸脱することなく、さまざまな変形例や代替例を包含するものである。
【符号の説明】
【０２０１】
１  無線通信システム
２  無線通信システム２
３  無線通信システム３
４  無線通信システム４
２１  ＨＤＭＩ（登録商標）送信機
２２  ＨＤＭＩ（登録商標）受信機
１００、１００Ａ、１００Ｂ、１００Ｃ  第１の無線通信装置
１０１  制御部
１０２  映像音声出力処理部
１０４  装置情報記憶部
１０５  無線通信情報記憶部
１０６  無線通信処理部
１０７  映像音声伸長部
１０８  映像音声記憶部
１０９  表示部
１１０  アンテナ
１１１  データ暗号・復号化部
２００−１、２００Ａ−１、２００Ｂ−１、２００Ｃ−１  第２の無線通信装置
２００−２、２００Ａ−２、２００Ｂ−２、２００Ｃ−２  第３の無線通信装置
２０１  制御部
２０２  映像音声入力処理部
２０３  ユーザ入力装置
２０４  装置情報記憶部
２０５  無線通信情報記憶部
２０６  無線通信処理部
２０７  映像音声圧縮部
２０８  映像音声記憶部
２０９  表示部
２１０  アンテナ
２１１  データ暗号・復号化部
【先行技術文献】
【特許文献】
【０２０２】
【特許文献１】特開２００８−２５２９２９号公報
【特許文献２】特許第４３６９２１４号
【図１】
2015050556.tif 000003
【図２】
2015050556.tif 000004
【図３】
2015050556.tif 000005
【図４】
2015050556.tif 000006
【図５】
2015050556.tif 000007
【図６】
2015050556.tif 000008
【図７】
2015050556.tif 000009
【図８】
2015050556.tif 000010
【図９】
2015050556.tif 000011
【図１０】
2015050556.tif 000012
【図１１】
2015050556.tif 000013
【図１２】
2015050556.tif 000014
【図１３】
2015050556.tif 000015
【図１４】
2015050556.tif 000016
【図１５】
2015050556.tif 000017
【図１６】
2015050556.tif 000018
【図１７】
2015050556.tif 000019
【図１８】
2015050556.tif 000020